【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
信号処理のための方法であって、
人間の呼気の排出によって引き起こされた空気の動きを検出するように動作可能なＭＥＭＳモジュール検出器から１つ又は複数の信号を受信すること、
前記ＭＥＭＳモジュールにおいて、前記受信された１つ又は複数の信号を処理すること、及び
前記ＭＥＭＳモジュールにおいて、前記処理に基づいてデバイス上のユーザーインターフェースの制御を可能にする１つ又は複数の制御信号を生成すること、
を含む、方法。
【請求項２】
前記空気の動きは、前記ＭＥＭＳモジュール検出器の１つ又は複数の部材又はセグメントの撓み又は動きを引き起こす、請求項１に記載の方法。
【請求項３】
前記ＭＥＭＳモジュールにおいて、前記１つ又は複数の信号をアナログフォーマットからデジタルフォーマットデータに変換することを含む、請求項１又は２に記載の方法。
【請求項４】
前記ＭＥＭＳモジュールにおいて、前記デジタルフォーマットデータを対応する整数値に変換することを含む、請求項３に記載の方法。
【請求項５】
前記１つの変換された対応する整数値を記憶することを含む、請求項４に記載の方法。
【請求項６】
前記ＭＥＭＳモジュール検出器を較正することを含む、請求項１から５のうちの何れか一項に記載の方法。
【請求項７】
前記ＭＥＭＳモジュール検出器の前記較正は、静的又は動的に行われる、請求項６に記載の方法。
【請求項８】
前記１つ又は複数の受信信号が有効な信号を含むか否かを判断することを含む、請求項１から７の何れか一項に記載の方法。
【請求項９】
前記ＭＥＭＳモジュールにおいて、前記ＭＥＭＳモジュール検出器の１つ又は複数の可撓性部材若しくは可撓性セグメント又は可動性部材若しくは可動性セグメントの動きの範囲を求めることを含む、請求項１から８の何れか一項に記載の方法。
【請求項１０】
前記ＭＥＭＳモジュールにおいて、前記ＭＥＭＳモジュール検出器の１つ又は複数の可撓性部材若しくは可撓性セグメント又は可動性部材若しくは可動性セグメントの動きに関連した傾きを求めることを含む、請求項１から９の何れか一項に記載の方法。
【請求項１１】
前記ＭＥＭＳモジュールにおいて、前記ＭＥＭＳモジュール検出器の１つ又は複数の可撓性部材若しくは可撓性セグメント又は可動性部材若しくは可動性セグメントの動きに関連した方向を求めることを含む、請求項１から１０の何れか一項に記載の方法。
【請求項１２】
前記ＭＥＭＳモジュールにおいて、前記求められた方向を、前記ユーザーインターフェース内の対応する方向の動きに変換することを含む、請求項１１に記載の方法。
【請求項１３】
前記ＭＥＭＳモジュールにおいて、前記１つ又は複数の制御信号をフォーマットすることを含む、請求項１から１２の何れか一項に記載の方法。
【請求項１４】
前記ＭＥＭＳモジュールにおいて、前記受信された１つ又は複数の信号をヒューマンインターフェースデバイス（ＨＩＤ）プロファイル用にフォーマットすることを含む、請求項１３に記載の方法。
【請求項１５】
前記フォーマットされた１つ又は複数の制御信号を前記ＭＥＭＳモジュールから前記デバイスへ、有線媒体又は無線媒体の一方又は双方を介して通信することを含む、請求項１３又は１４に記載の方法。
【請求項１６】
前記ＭＥＭＳモジュールにおいて、前記ＭＥＭＳモジュール検出器の前のオペレーション及び現在のオペレーションのうちの一方又は双方に基づいて、前記受信された１つ又は複数の信号を処理することを含む、請求項１から１５のうちの何れか一項に記載の方法。
【請求項１７】
信号処理のための少なくとも１つのコード部を有するコンピュータプログラムが記憶されたマシン可読ストレージであって、前記少なくとも１つのコード部は、
人間の呼気の放出によって引き起こされた空気の動きを検出するように動作可能なＭＥＭＳモジュール検出器から１つ又は複数の信号を受信すること、
前記ＭＥＭＳモジュールにおいて、前記受信された１つ又は複数の信号を処理すること、及び
前記ＭＥＭＳモジュールにおいて、前記処理に基づいてデバイス上のユーザーインターフェースの制御を可能にする１つ又は複数の制御信号を生成すること、
を含むステップをマシンに実行させるように該マシンによって実行可能である、マシン可読ストレージ。
【請求項１８】
前記空気の動きは、前記ＭＥＭＳモジュール検出器の１つ又は複数の部材又はセグメントの撓み又は動きを引き起こす、請求項１７に記載のマシン可読ストレージ。
【請求項１９】
前記少なくとも１つのコード部は、前記ＭＥＭＳモジュールにおいて、前記１つ又は複数の信号をアナログフォーマットからデジタルフォーマットデータに変換するためのコードを含む、請求項１７又は１８に記載のマシン可読ストレージ。
【請求項２０】
前記少なくとも１つのコード部は、前記ＭＥＭＳモジュールにおいて、前記デジタルフォーマットデータを対応する整数値に変換するためのコードを含む、請求項１９に記載のマシン可読ストレージ。
【請求項２１】
前記少なくとも１つのコード部は、前記ＭＥＭＳモジュールにおいて、前記１つの変換された対応する整数値を記憶するためのコードを含む、請求項２０に記載のマシン可読ストレージ。
【請求項２２】
前記少なくとも１つのコード部は、前記ＭＥＭＳモジュールにおいて、前記ＭＥＭＳモジュール検出器を較正するためのコードを含む、請求項１７から２１のうちの何れか一項に記載のマシン可読ストレージ。
【請求項２３】
前記ＭＥＭＳモジュール検出器の前記較正は、静的又は動的に行われる、請求項２２に記載のマシン可読ストレージ。
【請求項２４】
前記少なくとも１つのコード部は、前記ＭＥＭＳモジュールにおいて、前記１つ又は複数の受信信号が有効な信号を含むか否かを判断するためのコードを含む、請求項１７から２３のうちの何れか一項に記載のマシン可読ストレージ。
【請求項２５】
前記少なくとも１つのコード部は、前記ＭＥＭＳモジュールにおいて、前記ＭＥＭＳモジュール検出器の１つ又は複数の可撓性部材若しくは可撓性セグメント又は可動性部材若しくは可動性セグメントの動きの範囲を求めるためのコードを含む、請求項１７から２４のうちの何れか一項に記載のマシン可読ストレージ。
【請求項２６】
前記少なくとも１つのコード部は、前記ＭＥＭＳモジュールにおいて、前記ＭＥＭＳモジュール検出器の１つ又は複数の可撓性部材若しくは可撓性セグメント又は可動性部材若しくは可動性セグメントの動きに関連した傾きを求めるためのコードを含む、請求項１７から２５のうちの何れか一項に記載のマシン可読ストレージ。
【請求項２７】
前記少なくとも１つのコード部は、前記ＭＥＭＳモジュールにおいて、前記ＭＥＭＳモジュール検出器の１つ又は複数の可撓性部材若しくは可撓性セグメント又は可動性部材若しくは可動性セグメントの動きに関連した方向を求めるためのコードを含む、請求項１７から２６のうちの何れか一項に記載のマシン可読ストレージ。
【請求項２８】
前記少なくとも１つのコード部は、前記ＭＥＭＳモジュールにおいて、前記求められた方向を、前記ユーザーインターフェース内の対応する方向の動きに変換するためのコードを含む、請求項２７に記載のマシン可読ストレージ。
【請求項２９】
前記少なくとも１つのコード部は、前記ＭＥＭＳモジュールにおいて、前記１つ又は複数の制御信号をフォーマットするためのコードを含む、請求項１７から２８のうちの何れか一項に記載のマシン可読ストレージ。
【請求項３０】
前記少なくとも１つのコード部は、前記ＭＥＭＳモジュールにおいて、前記受信された１つ又は複数の信号をヒューマンインターフェースデバイス（ＨＩＤ）プロファイル用にフォーマットするためのコードを含む、請求項２９に記載のマシン可読ストレージ。
【請求項３１】
前記少なくとも１つのコード部は、前記フォーマットされた１つ又は複数の制御信号を前記ＭＥＭＳモジュールから前記デバイスへ、有線媒体又は無線媒体の一方又は双方を介して通信するためのコードを含む、請求項２９又は３０に記載のマシン可読ストレージ。
【請求項３２】
前記少なくとも１つのコード部は、前記ＭＥＭＳモジュールにおいて、前記ＭＥＭＳモジュール検出器の前のオペレーション及び現在のオペレーションのうちの一方又は双方に基づいて、前記受信された１つ又は複数の信号を処理するためのコードを含む、請求項１７から３１のうちの何れか一項に記載のマシン可読ストレージ。
【請求項３３】
信号処理のためのシステムであって、該システムは、
ＭＥＭＳモジュール検出器から１つ又は複数の信号を受信するように動作可能な、ＭＥＭＳモジュール内の１つ又は複数のプロセッサを備え、前記ＭＥＭＳモジュール検出器は、人間の呼気の排出によって引き起こされた空気の動きを検出するように動作可能であり、
前記１つ又は複数のプロセッサは、前記受信された１つ又は複数の信号の処理を可能にし、
前記１つ又は複数のプロセッサは、前記処理に基づいてデバイス上のユーザーインターフェースの制御を可能にする１つ又は複数の制御信号の生成を可能にする、
システム。
【請求項３４】
前記空気の動きは、前記ＭＥＭＳモジュール検出器の１つ又は複数の部材又はセグメントの撓み又は動きを引き起こす、請求項３３に記載のシステム。
【請求項３５】
前記１つ又は複数のプロセッサは、アナログフォーマットからデジタルフォーマットデータへの前記１つ又は複数の信号の変換を可能にする、請求項３３又は３４に記載のシステム。
【請求項３６】
前記１つ又は複数のプロセッサは、前記デジタルフォーマットデータの対応する整数値への変換を可能にする、請求項３５に記載のシステム。
【請求項３７】
前記１つ又は複数のプロセッサは、前記１つの変換された対応する整数値の記憶を可能にする、請求項３６に記載のシステム。
【請求項３８】
前記１つ又は複数のプロセッサは、前記ＭＥＭＳモジュール検出器の較正を可能にする、請求項３３から３７のうちの何れか一項に記載のシステム。
【請求項３９】
前記ＭＥＭＳモジュール検出器の前記較正は、静的又は動的に行われる、請求項３８に記載のシステム。
【請求項４０】
前記１つ又は複数のプロセッサは、前記１つ又は複数の受信信号が有効な信号を含むか否かの判断を可能にする、請求項３３から３９のうちの何れか一項に記載のシステム。
【請求項４１】
前記１つ又は複数のプロセッサは、前記ＭＥＭＳモジュール検出器の１つ又は複数の可撓性部材若しくは可撓性セグメント又は可動性部材若しくは可動性セグメントの動きの範囲を求めることを可能にする、請求項３３から４０のうちの何れか一項に記載のシステム。
【請求項４２】
前記１つ又は複数のプロセッサは、前記ＭＥＭＳモジュール検出器の１つ又は複数の可撓性部材若しくは可撓性セグメント又は可動性部材若しくは可動性セグメントの動きに関連した傾きを求めることを可能にする、請求項３３から４１のうちの何れか一項に記載のシステム。
【請求項４３】
前記１つ又は複数のプロセッサは、前記ＭＥＭＳモジュール検出器の１つ又は複数の可撓性部材若しくは可撓性セグメント又は可動性部材若しくは可動性セグメントの動きに関連した方向を求めることを可能にする、請求項３３から４２のうちの何れか一項に記載のシステム。
【請求項４４】
前記１つ又は複数のプロセッサは、前記求められた方向の、前記ユーザーインターフェース内の対応する方向の動きへの変換を可能にする、請求項４３に記載のシステム。
【請求項４５】
前記１つ又は複数のプロセッサは、前記１つ又は複数の制御信号のフォーマットを可能にする、請求項４３又は４４に記載のシステム。
【請求項４６】
前記１つ又は複数のプロセッサは、前記受信された１つ又は複数の信号をヒューマンインターフェースデバイス（ＨＩＤ）プロファイル用にフォーマットすることを可能にする、請求項４５に記載のシステム。
【請求項４７】
前記１つ又は複数のプロセッサは、前記フォーマットされた１つ又は複数の制御信号の、前記デバイスへの有線媒体又は無線媒体の一方又は双方を介した通信を可能にする、請求項４５又は４６に記載のシステム。
【請求項４８】
前記１つ又は複数のプロセッサは、前記ＭＥＭＳモジュール検出器の前のオペレーション及び現在のオペレーションのうちの一方又は双方に基づく、前記受信された１つ又は複数の信号の処理を可能にする、請求項３３から４７のうちの何れか一項に記載のシステム。